(57)【要約】【課題】  光の利用効率を向上させることができるバックライトアセンブリ及びこれを有する液晶表示装置が開示されている。【解決手段】  バックライトアセンブリ(100)は、光を発生するランプ(210)、ランプから発生された光の経路をガイドするための導光板(300)、ランプの端部に結合され導光板と向かい合う面に形成された開口部を有するランプホルダー(220)、ランプとランプホルダーとを収納するランプカバー(230)、及び導光板を収納する収納容器を含む。ランプホルダーの開口部は、ランプの蛍光層が形成された領域に対応して開口される。従って、ランプを安定的に固定しながら光の利用効率を向上させ、両側コーナー部で発生される暗部を除去して、表示品質を向上させることができる。【選択図】            図２
2006032317.tif 000002
【特許請求の範囲】
【請求項１】
光を発生するランプと、
前記ランプから発生された光の経路をガイドするための導光板と、
前記ランプの端部に結合され、前記導光板と向かい合う面に形成された開口部を有するランプホルダーと、
前記ランプと前記ランプホルダーを収納するランプカバーと、
前記導光板を収納する収納容器と、を含むバックライトアセンブリ。
【請求項２】
前記ランプは、内面に形成される蛍光層を更に含むことを特徴とする請求項１記載のバックライトアセンブリ。
【請求項３】
前記ランプは、前記蛍光層が形成された領域に対応して光を出射することを特徴とする請求項２記載のバックライトアセンブリ。
【請求項４】
前記ランプホルダーの前記開口部は、前記ランプの前記蛍光層が形成された領域に対応して形成されることを特徴とする請求項２記載のバックライトアセンブリ。
【請求項５】
前記開口部は、前記ランプの長手方向に沿って第１開口幅を有し、前記ランプの長手方向に垂直な方向に沿って第２開口幅を有することを特徴とする請求項２記載のバックライトアセンブリ。
【請求項６】
前記第１開口幅は、少なくとも前記ランプの前記蛍光層が形成された領域が露出されるように形成されることを特徴とする請求項５記載のバックライトアセンブリ。
【請求項７】
前記第２開口幅は、前記ランプの直径より小さく形成されることを特徴とする請求項５記載のバックライトアセンブリ。
【請求項８】
前記第２開口幅は、前記ランプの直径に対して１０％〜９０％の範囲を有することを特徴とする請求項７記載のバックライトアセンブリ。
【請求項９】
前記第２開口幅は、０．４ｍｍ〜１．８ｍｍの範囲を有することを特徴とする請求項７記載のバックライトアセンブリ。
【請求項１０】
前記ランプの直径は２ｍｍで、前記第１開口幅は２ｍｍで、前記第２開口幅は１．２ｍｍであることを特徴とする請求項５記載のバックライトアセンブリ。
【請求項１１】
前記導光板は、前記ランプと向かい合う面から反対面に行くほど厚さが薄くなることを特徴とする請求項１記載のバックライトアセンブリ。
【請求項１２】
前記導光板の下部に配置される反射シートと、
前記導光板の上部に配置される集光シートと、を更に含むことを特徴とする請求項１記載のバックライトアセンブリ。
【請求項１３】
前記収納容器の背面から前記ランプカバーの底面と接するように結合され、前記ランプから発生される熱を放出するバックカバーを更に含むことを特徴とする請求項１２記載のバックライトアセンブリ。
【請求項１４】
光を発生するランプ、前記ランプから発生された光の経路をガイドするための導光板、前記ランプの端部に結合され前記導光板と向かい合う面に形成された開口部を有するランプホルダー、前記ランプとランプホルダーを収納するランプカバー、及び前記導光板を収納する収納容器を含むバックライトアセンブリと、
前記バックライトアセンブリから供給される光を用いて画像を表示する液晶表示パネルと、
前記収納容器の背面に配置され、前記ランプに駆動電圧を供給するインバータと、を含む液晶表示装置。
【請求項１５】
前記ランプは、内面に形成された蛍光層に対応して光を出射することを特徴とする請求項１４記載の液晶表示装置。
【請求項１６】
前記ランプホルダーの前記開口部は、前記ランプの蛍光層が形成された領域に対応して形成されることを特徴とする請求項１５記載の液晶表示装置。
【請求項１７】
前記開口部は、前記ランプの長手方向に沿って第１開口幅を有し、前記ランプの長手方向に垂直な方向に沿って第２開口幅を有することを特徴とする請求項１５記載の液晶表示装置。
【請求項１８】
前記第１開口幅は、少なくとも前記ランプの前記蛍光層が形成された領域が露出されるように形成されることを特徴とする請求項１７記載の液晶表示装置。
【請求項１９】
前記第２開口幅は、前記ランプの直径より小さく形成されることを特徴とする請求項１７記載の液晶表示装置。
【請求項２０】
前記第２開口幅は、前記ランプの直径に対して１０％〜９０％の範囲を有することを特徴とする請求項１９記載の液晶表示装置。
【請求項２１】
前記バックライトアセンブリは、
前記導光板の下部に配置される反射シートと、
前記導光板の上部に配置される集光シートと、を更に含むことを特徴とする請求項１４記載の液晶表示装置。
【請求項２２】
前記液晶表示パネルを前記バックライトアセンブリに固定する固定部材を更に含むことを特徴とする請求項１４記載の液晶表示装置。
【請求項２３】
第１端部、第２端部、前記第１端部と前記第２端部とを連結する第１側面、前記第１端部から前記第２端部に延長されランプの第１端部を収納する挿入口、及び前記挿入口から前記第１側面に延長された開口部を含み、前記ランプの第１端部を支持する第１ランプホルダーを含むランプユニット。
【請求項２４】
前記挿入口に第１端部が挿入されたランプを更に含み、前記開口部はランプの長軸方向に沿って第１幅を有し、前記長軸に垂直な方向に沿って前記ランプの直径より小さい第２幅を有することを特徴とする請求項２３記載のランプユニット。
【請求項２５】
前記開口部は、前記第１ランプホルダーの前記第１端部に沿って延長され、前記第１幅は前記挿入口の長さより小さいことを特徴とする請求項２４記載のランプユニット。
【請求項２６】
前記第１ランプホルダーの上面、下面、及び第２側面をカバーし、前記第１ランプホルダーの前記第１側面は露出させるランプカバーを更に含むことを特徴とする請求項２３記載のランプユニット。
【請求項２７】
前記ランプの第１端部の反対側端部である第２端部を収納する第２ランプホルダーを更に含み、前記第２ランプホルダーは、第１端部、第２端部、前記第１端部と前記第２端部とを連結する第１側面、前記第１端部から前記第２端部に延長されランプの第１端部を収納する挿入口、及び前記挿入口から前記第１側面に延長された開口部を含み、前記ランプカバーは、少なくとも前記第１ランプホルダーの前記第１端部から前記第２ランプホルダーの前記第１端部まで延長されることを特徴とする請求項２６記載のランプユニット。
【請求項２８】
前記ランプカバーは、前記第１ランプホルダーの前記第２端部から前記第２ランプホルダーの前記第２端部まで延長され、前記ランプカバーの内側面には反射コーティングが形成されたことを特徴とする請求項２７記載のランプユニット。
【請求項２９】
前記挿入口に第１端部が挿入されたランプを更に含み、前記ランプは蛍光層を含んでおり、前記第１ランプホルダーの前記開口部は前記第１端部から前記ランプの蛍光層の端部まで延長されたことを特徴とする請求項２３記載のランプユニット。
【発明の詳細な説明】
【技術分野】
【０００１】
本発明は、バックライトアセンブリ及びこれを有する液晶表示装置に関し、より詳細には、画像を表示するために要求される光を供給するためのバックライトアセンブリ及びこれを有する液晶表示装置に関する。
【背景技術】
【０００２】
一般に、液晶表示装置は、液晶を用いて画像をディスプレイする平板表示装置の一つであって、他のディスプレイ装置と比較して、薄く軽くて、低い駆動電圧及び低い消費電力を有するという長所があって、産業全般にかけて広く用いられている。
【０００３】
前記液晶表示装置は、薄膜トランジスタ（以下、ＴＦＴ）基板、前記ＴＦＴ基板に対向するカラーフィルター基板、及び前記両基板間に介在され電気的な信号が印加されることによって、光の透過率を変更させる液晶で構成された液晶表示パネルを含む。又、前記液晶表示装置は、前記液晶表示パネルが自発的に発光しない受光素子なので、別の光を供給するためのバックライトアセンブリを更に含む。
【０００４】
前記バックライトアセンブリは、光を供給するランプユニット、前記ランプユニットから発生された光の経路を前記液晶表示パネルの方向にガイドするための導光板、及び前記ランプユニットと前記導光板を収納する収納容器を含む。前記ランプユニットは、光を発生するランプ、前記ランプの両端部に結合されるランプホルダー、及び前記ランプホルダーと結合され前記ランプの三面を囲むランプカバーで構成される。前記ランプホルダーは、前記ランプの両端部に挿入された状態で前記ランプカバーに結合され前記ランプを支持すると共に、前記ランプの結合位置を固定させる。
【０００５】
しかし、前記ランプホルダーが前記ランプの両端部に結合されることによって、前記ランプの有効発光部が遮られて、前記ランプから発生される光を最大限に活用することができないという問題が発生する。又、前記ランプホルダーが有効発光部を遮ることによって、前記ランプホルダーと当接する前記導光板の両コーナー部で中央部と比較して、相対的に暗い暗部が発生し、表示品質を低下させるという問題が発生する。又、前記ランプホルダーが有効発光部を遮ることを減少させるために、前記ランプホルダーの長さを減少させる場合、前記ランプを固定する支持力が低下され、前記ランプの移動による輝度不均一が発生され、前記ランプと前記ランプカバーとの間の距離が短くなって、漏洩電流が増加するという問題が発生する。
【発明の開示】
【発明が解決しようとする課題】
【０００６】
従って、本発明の目的は、このような従来の問題点を勘案したものであって、ランプを安定的に支持しながら、ランプから発生される光の利用効率を向上させ、表示品質を向上させることができるバックライトアセンブリを提供することにある。
【０００７】
本発明の他の目的は、前記したバックライトアセンブリを有する液晶表示装置を提供することにある。
【課題を解決するための手段】
【０００８】
前述した本発明の目的を達成するためのバックライトアセンブリは、ランプ、導光板、ランプホルダー、ランプカバー、及び収納容器を含む。
【０００９】
前記ランプは、光を発生する。前記導光板は、前記ランプから発生された光の経路をガイドする。前記ランプホルダーは前記ランプの端部に結合され、前記導光板と向かい合う面に形成された開口部を有する。前記ランプカバーは、前記ランプとランプホルダーを収納する。前記収納容器は、前記導光板を収納する。
【００１０】
前記ランプは、内面に形成される蛍光層を更に含む。この際、前記ランプは、前記蛍光層が形成された領域に対応して光を出射する。
【００１１】
前記ランプホルダーの前記開口部は、前記ランプの前記蛍光層が形成された領域に対応して開口される。
【００１２】
又、本発明の他の目的を達成するための液晶表示装置は、バックライトアセンブリ、液晶表示パネル、及びインバータを含む。
【００１３】
前記バックライトアセンブリは、光を発生するランプ、前記ランプから発生された光の経路をガイドするための導光板、前記ランプの端部に結合され前記導光板と向かい合う面に形成された開口部を有するランプホルダー、前記ランプとランプホルダーを収納するランプカバー、及び前記導光板を収納する収納容器を含む。
【００１４】
前記液晶表示パネルは、前記バックライトアセンブリから供給される光を用いて画像を表示する。
【００１５】
前記インバータは前記収納容器の背面に配置され、前記ランプに駆動電圧を供給する。
【発明の効果】
【００１６】
このようなバックライトアセンブリ及びこれを有する液晶表示装置によると、ランプを安定的に固定しながら、ランプから発生される光の利用効率を向上させることができ、ランプホルダーと当接する両コーナー部で発生される暗部を除去して、表示品質を向上させることができる。
【発明を実施するための最良の形態】
【００１７】
以下、添付図面を参照して、本発明の好ましい実施形態をより詳細に説明する。図１は、本発明の一実施形態によるバックライトアセンブリを図示した分解斜視図であり、図２は、図１に図示されたランプユニットを具体的に示す斜視図である。
【００１８】
図１及び図２を参照すると、本発明の一実施形態によるバックライトアセンブリ１００は、光を供給するランプユニット２００、光の経路をガイドする導光板３００、及びランプユニット２００と導光板３００を収納する収納容器４００を含む。
【００１９】
ランプユニット２００は、光を発生するランプ２１０、ランプ２１０の両端部にそれぞれ結合されるランプホルダー２２０、及びランプ２１０とランプホルダー２２０を収納するランプカバー２３０で構成される。ランプユニット２００は、導光板３００の一側部に配置されるように収納容器４００に収納される。
【００２０】
ランプ２１０は細くて長い棒形状を有し、冷陰極蛍光ランプ（ＣＣＦＬ）で構成される。ランプ２１０は、外部から印加される駆動電圧に反応して光を発生する。
【００２１】
ランプホルダー２２０は、ランプ２１０の両端部にそれぞれ一つずつ、全部２個が結合される。ランプホルダー２２０は、ランプ２１０を支持すると共に、ランプカバー２３０と結合されランプ２１０の結合位置を固定させる。
【００２２】
本発明において、ランプホルダー２２０は、ランプ２１０から発生される光の利用効率を向上させるための開口部２２２を有する。開口部２２２は、導光板３００と向かい合う面の一部が開口されて形成され、ランプホルダー２２０に挿入されたランプ２１０の一部を露出させる。
【００２３】
ランプカバー２３０は、ランプホルダー２２０と結合され、ランプ２１０の三面を囲みながらランプ２１０を保護する。ランプカバー２３０は反射率が高い材質で形成されるか、又は、内面に反射率が高い反射部材がコーティングされた構造を有し、ランプ２１０から発生された光を導光板３００側に反射させて、光の利用効率を向上させる。ランプカバー２３０の開口された一面には、導光板３００が配置される。この際、ランプホルダー２２０は導光板３００と当接し、導光板３００がランプ２１０の方向に過度に挿入されることを防止して、ランプ２１０を保護する。
【００２４】
導光板３００は、収納容器４００の上部から収納容器４００の内部空間に収納される。導光板３００は、一側面に配置されたランプユニット２００から入射される光の経路を変更させて、上部面方向に出射する。このために、導光板３００の下部面には光の拡散反射のための印刷パターンが形成されるか、又は、プリズムパターンが形成される。導光板３００は、一例として、ランプ２１０と向かい合う面から反対面に行くほど、厚さが薄くなるウェッジ形状を有する。導光板３００がウェッジ形状に形成されることによって、バックライトアセンブリ１００の厚さと重量を減少させることができる。
【００２５】
収納容器４００は、底部４１０及び底部４１０から垂直に延長され、収納空間を形成する側部４２０で構成される。底部４１０は、重量を減少させるために、導光板３００を支持することができる最小限の領域を除外して開口されている。収納容器４００には、導光板３００とランプユニット２００が収納される。一例として、導光板３００は収納容器４００の上部から収納され、ランプユニット２００は収納容器４００の下部から収納される。
【００２６】
本実施形態において、バックライトアセンブリ１００は、導光板３００の下部に配置される反射シート５００、及び導光板３００の上部に配置される集光シート６００を更に含む。
【００２７】
反射シート５００は、導光板３００の下部面を通じて漏洩する光を反射させて、更に導光板３００の内部に入射させる。一例として、反射シート５００は、ポリエチレンテレフタレート（ＰＥＴ）材質、又は、ポリカボネート（ＰＣ）材質等で構成される。
【００２８】
集光シート６００は、導光板３００から出射される光の正面輝度を向上させるために、導光板３００の上部に配置される。集光シート６００は、導光板３００から出射される光の経路を正面方向に集光するために、上部面又は下部面に形成されるプリズムパターンを有する。一方、図示していないが、バックライトアセンブリ１００は、集光シート６００の上部又は下部に配置される拡散シートを更に含むことができる。拡散シートは、導光板３００又は集光シート６００から出射される光を拡散させて、光の輝度均一性を向上させる。又、バックライトアセンブリ１００は、要求される輝度特性によって、別の集光シート又は拡散シートの追加又は除去が可能である。
【００２９】
バックライトアセンブリ１００は、ランプ２１０から発生される熱を放出するためのバックカバー６５０を更に含むことができる。バックカバー６５０は収納容器４００と結合され、収納容器４００の外部に露出されるランプカバー２３０の下部面が直接的に接触される。従って、バックカバー６５０は、収納容器４００に実装されたランプユニット２００の離脱を防止すると共に、ランプ２１０から発生された熱を外部に放出させる役割を果たす。このために、バックカバー６５０は、熱伝導度が高い金属材質で構成されることが好ましい。
【００３０】
図３は、図２に図示されたランプの断面を示す断面図である。
【００３１】
図３を参照すると、ランプ２１０は、内面に形成される蛍光層２１２及び両端部の内部にそれぞれ形成される内部電極２１４を含む。蛍光層２１２は、ランプ２１０の内面のうち、両端部の一部領域を除いた残り領域に薄い膜形態で形成される。内部電極２１４は、導電性のリード部２１６と連結され、ランプ２１０の内部に配置される。リード部２１６は、ランプ２１０の外部に突出され、駆動電圧を印加するためのランプワイヤ（図示せず）と連結される。
【００３２】
このような構成を有するランプ２１０は、リード部２１６を通じて内部電極２１４に駆動電圧が印加されると、内部電極２１４から電界による電子放出が発生する。内部電極２１４から放出された電子は、ランプ２１０の内部空間に存在する水銀を励起させ、この際、紫外線が発生される。水銀から発生された紫外線は蛍光層２１２によって可視光に変換され、ランプ２１０の外部に出射される。従って、ランプ２１０は、蛍光層２１２が形成された領域に対応して光を出射する。
【００３３】
図４は、図２に図示されたランプホルダーを具体的に示す斜視図であり、図５は、図２に図示されたランプホルダーとランプとの結合関係を示す平面図である。
【００３４】
図４及び図５を参照すると、ランプホルダー２２０は、ランプ２１０の挿入のための挿入口２２４及び挿入されたランプ２１０の一部を露出させるための開口部２２２を有する。ランプホルダー２２０は絶縁物質で構成され、一例として、ゴムで構成される。
【００３５】
開口部２２２は、導光板３００と向かい合う一面に形成される。開口部２２２は、ランプ２１０の蛍光層２１２が形成された領域に対応して形成される。開口部２２２の大きさは、ランプ２１０から出射される光の利用効率を高めるために大きいほど良いが、過度に大きい場合、ランプ２１０がランプホルダー２２０から容易に離脱する虞がある。従って、開口部２２２は、ランプ２１０から出射される光を遮断しないようにするために、少なくとも蛍光層２１２が形成された領域が全部露出されるように開口されることが好ましい。
【００３６】
具体的に、開口部２２２は、ランプ２１０の長手方向に沿って第１開口幅ＯＷ１だけ開口され、ランプ２１０の長手方向に垂直な方向に沿って第２開口幅ＯＷ２だけ開口される。第１開口幅ＯＷ１は、ランプ２１０の蛍光層２１２が形成された領域が完全に露出されるに充分な長さで開口され、好ましくは蛍光層２１２が形成された領域と対応されるように形成される。第２開口幅ＯＷ２は大きいほど良いが、少なくともランプ２１０の直径よりは小さい幅で開口される。第２開口幅ＯＷ２は、ランプ２１０の直径に対して約１０％〜約９０％の範囲で形成される。又、第２開口幅ＯＷ２は、約０．４ｍｍ〜約１．８ｍｍの範囲で形成されることができる。
【００３７】
例えば、ランプ２１０の直径が約２ｍｍである場合、ランプホルダー２２０の全体長さＬは約８ｍｍであり、ランプホルダー２２０の全体厚さＤは約３ｍｍである。ランプ２１０は、ランプホルダー２２０に約６．５ｍｍ程度挿入される。この際、開口部２２２の第１開口幅ＯＷ１は、ランプ２１０の蛍光層２１２が全部露出されることができるように約２ｍｍ程度開口され、第２開口幅ＯＷ２は、ランプ２１０の直径より小さい約１．２ｍｍ程度開口される。
【００３８】
一方、ランプホルダー２２０は、ランプ２１０に駆動電圧を印加するためのランプワイヤ２４０を固定するためのワイヤ固定部２２６を更に含むことができる。ランプワイヤ２４０は、ワイヤ固定部２２６を通じてランプホルダー２２０の内部に挿入され、ランプ２１０のリード部２１６と半田付け（ｓｏｌｄｅｒｉｎｇ）によって電気的に連結される。
【００３９】
図６は、図１に図示されたランプユニットと導光板との位置関係を示す図である。
【００４０】
図６を参照すると、導光板３００の一側面には、ランプ２１０がランプホルダー２２０に結合された状態で配置される。この際、導光板３００の両側コーナー部は、ランプホルダー２２０と当接して、導光板３００は、ランプホルダー２２０の支持によってランプ２１０側に押されることが防止される。
【００４１】
ランプホルダー２２０には、導光板３００と向かい合う面に開口部２２２が形成される。開口部２２２は、ランプホルダー２２０に挿入されたランプ２１０の一部を露出させる。ランプ２１０から出射される光は導光板３００の一側面に入射され、特に、ランプホルダー２２０に挿入されている領域から出射される光も開口部２２２を通じて導光板３００の両側コーナー部に入射される。このように、導光板３００と向かい合うランプホルダー２２０の一部を開口させることによって、ランプ２１０から出射される光の利用効率を向上させ、導光板３００の両側コーナー部から発生される暗部現象を除去することができる。
【００４２】
図７は、図１に図示されたバックライトアセンブリの結合された断面を示す断面図である。
【００４３】
図７を参照すると、ランプユニット２００は、収納容器４００の下部から収納容器４００の一側部に収納される。反射シート５００及び導光板３００は、収納容器４００の上部から収納容器４００に順次に収納される。収納容器４００に収納された導光板３００の一部は、ランプカバー２３０に挿入されランプホルダー２２０と当接される。ランプカバー２３０は、ランプ２１０の三面を囲みながら、導光板３００の上部面と下部面の一部をカバーするように形成され、ランプ２１０から発生された光が外部に漏洩されず、全部導光板３００に入射されるように誘導する。又、ランプホルダー２２０に挿入された領域のランプ２１０から発生される光は、開口部２２２を通じ導光板３００に入射される。
【００４４】
一方、バックカバー６５０は、ランプカバー２３０の下部面を囲みながら、収納容器４００の側部とフック結合される。バックカバー６５０は、ランプユニット２００を収納容器４００に固定すると共に、ランプ２１０から発生される熱を外部に放出する。収納容器４００には、ランプワイヤ２４０の引出経路をガイドするためのガイド部４３０が形成される。
【００４５】
図８は、本発明の一実施形態による液晶表示装置を示す分解斜視図である。本実施形態において、バックライトアセンブリは、図１乃至図７を参照して説明したバックライトアセンブリと同じ構成を有するので、その重複説明は省略し、同じ部材には同じ名称及び同じ図面符号を付与する。
【００４６】
図８を参照すると、本発明の一実施形態による液晶表示装置７００は、光を供給するためのバックライトアセンブリ１００、バックライトアセンブリ１００から供給される光を用いて画像を表示するためのディスプレイユニット８００、及びディスプレイユニット８００をバックライトアセンブリ１００に固定するための固定部材９００を含む。
【００４７】
ディスプレイユニット８００は、画像を表示する液晶表示パネル８１０、液晶表示パネル８１０を駆動するための駆動信号を提供するソース印刷回路基板８２０を含む。ソース印刷回路基板８２０から提供される駆動信号は、データフレキシブル回路フィルム８３０及びゲートフレキシブル回路フィルム８４０を通じて液晶表示パネル８１０に印加される。データ及びゲートフレキシブル回路フィルム８３０、８４０は、一例として、テープキャリアパッケージ（ＴＣＰ）又はチップオンフィルム（ＣＯＦ）で構成される。ここで、データ及びゲートフレキシブル回路フィルム８３０、８４０のそれぞれは、ソース印刷回路基板８２０から提供される駆動信号を適切なタイミングで液晶表示パネル８１０に印加するために、駆動信号のタイミングを制御するデータ及びゲート駆動チップ８３２、８４２を更に含む。
【００４８】
液晶表示パネル８１０は、薄膜トランジスタ（以下、ＴＦＴ）基板８１２、ＴＦＴ基板８１２と対向し結合されるカラーフィルター基板８１４、及び前記二つの基板８１２、８１４の間に介在される液晶（図示せず）を含む。
【００４９】
ＴＦＴ基板８１２は、スイッチング素子であるＴＦＴ（図示せず）がマトリックス形態で形成されている透明なガラス基板である。前記ＴＦＴのソース端子にはデータラインが連結され、ゲート端子にはゲートラインが連結される。又、ドレイン端子には、透明な導電性材質で構成された画素電極が連結される。
【００５０】
カラーフィルター基板８１４は、ＴＦＴ基板８１２に一定間隔に離隔して対向配置される。カラーフィルター基板８１４は、光が通過すると、所定の色で発現される色画素であるＲＧＢ画素が薄膜工程によって形成された基板である。カラーフィルター基板８１４の全面には、透明な導電性材質で構成された共通電極が形成される。
【００５１】
このような構成を有する液晶表示パネル８１０は、前記ＴＦＴのゲート端子に電源が印加されＴＦＴがターンオンされると、画素電極と共通電極との間には電界が形成される。このような電界によってＴＦＴ基板８１２とカラーフィルター基板８１４との間に介在された液晶の配列が変化され、液晶の配列変化によってバックライトアセンブリ１００から供給される光の透過度が変更され、所望する諧調の画像が得られる。
【００５２】
ソース印刷回路基板８２０は、データフレキシブル回路フィルム８３０を通じてＴＦＴ基板８１２の一端部に連結される。ソース印刷回路基板８２０は、液晶表示パネル８１０を駆動するためのデータ駆動信号及びゲート駆動信号を発生させ出力する。データ駆動信号は、ＴＦＴ基板８１２に形成されたデータラインを制御するための駆動信号であり、データフレキシブル回路フィルム８３０を通じてデータラインに印加される。ゲート駆動信号は、ＴＦＴ基板８１２に形成されたゲートラインを制御するための駆動信号であり、データフレキシブル回路フィルム８２０及びゲートフレキシブル回路フィルム８３０を経由して、ゲートラインに印加される。このために、ＴＦＴ基板８１２には、データフレキシブル回路フィルム８２０とゲートフレキシブル回路フィルム８３０とを連結するための導電配線（図示せず）が形成される。
【００５３】
一方、ディスプレイユニット８００は、バックライトアセンブリ１００の上部に実装される。液晶表示パネル８１０は収納容器４００の上部に配置され、収納容器４００の４個の角に形成された固定部４４０によって実装位置がガイドされる。ソース印刷回路基板８２０は、データフレキシブル回路フィルム８２０のベンディングによって収納容器４００の背面に固定される。
【００５４】
固定部材９００は、バックライトアセンブリ１００に収納された液晶表示パネル８１０のエッジ部分を囲むように収納容器４００と結合される。固定部材９００は、バックライトアセンブリ１００から液晶表示パネル８１０が離脱しないようにすることと共に、割れやすい液晶表示パネル８１０が外部の衝撃によって破損されることを防止する。
【００５５】
このようなバックライトアセンブリ及びこれを有する液晶表示装置によると、ランプホルダーの導光板と当接する面に開口部を形成して、ランプを安定的に固定しながら、ランプから発生される光の利用効率を向上させることができる。又、ランプホルダーと当接する導光板の両側コーナー部で発生される暗部を除去して、表示品質を向上させることができる。
【００５６】
以上、本発明の実施形態によって詳細に説明したが、本発明はこれに限定されず、本発明が属する技術分野において通常の知識を有するものであれば本発明の思想と精神を離れることなく、本発明を修正または変更できる。
【産業上の利用可能性】
【００５７】
本発明は、液晶ディスプレイにおいて利用することができる。
【図面の簡単な説明】
【００５８】
【図１】本発明の一実施形態によるバックライトアセンブリを示す分解斜視図である。
【図２】図１に図示されたランプユニットを具体的に示す斜視図である。
【図３】図２に図示されたランプの断面を示す断面図である。
【図４】図２に図示されたランプホルダーを具体的に示す斜視図である。
【図５】図２に図示されたランプホルダーとランプとの結合関係を示す平面図である。
【図６】図１に図示されたランプユニットと導光板との位置関係を示す図である。
【図７】図１に図示されたバックライトアセンブリの結合された断面を示す断面図である。
【図８】本発明の一実施形態による液晶表示装置を示す分解斜視図である。
【符号の説明】
【００５９】
１００    バックライトアセンブリ
２００    ランプユニット
２１０    ランプ
２１２    蛍光層
２１４    内部電極
２２０    ランプホルダー
２２２    開口部
２２４    挿入口
２２６    ワイヤ固定部
３００    導光板
４００    収納容器
５００    反射シート
６００    集光シート
６５０    バックカバー
７００    液晶表示装置
８００    ディスプレイユニット
８１０    液晶表示パネル
９００    固定部材
【図１】
2006032317.tif 000003
【図２】
2006032317.tif 000004
【図３】
2006032317.tif 000005
【図４】
2006032317.tif 000006
【図５】
2006032317.tif 000007
【図６】
2006032317.tif 000008
【図７】
2006032317.tif 000009
【図８】
2006032317.tif 000010